【手続補正書】
【提出日】平成17年1月28日(2005.1.28)
【手続補正１】
【補正対象書類名】特許請求の範囲
【補正対象項目名】全文
【補正方法】変更
【補正の内容】
【特許請求の範囲】
【請求項１】
液晶パネル部と、前記液晶パネル部にタイミング信号を供給するタイミング供給部と、を備える液晶表示装置であって、
前記液晶パネル部は、
マトリクス状に配列された複数の液晶セルと、
各液晶セルにそれぞれに対応して設けられた複数の画素電極と、
各画素電極に画像信号を入力するための複数のデータ線と、
各データ線にそれぞれ対応して設けられ、サンプリング回路駆動信号に応じて、前記画像信号をサンプリングして、対応する前記データ線に出力する複数のサンプリング回路と、
前記タイミング信号に応じて、前記サンプリング回路駆動信号を生成する駆動信号生成部と、
を備えると共に、
前記タイミング供給部は、
前記タイミング信号を生成するタイミング生成部と、
生成された前記タイミング信号の位相を調整するタイミング調整部と、
を備え、
前記液晶パネル部は、さらに、少なくとも前記駆動信号生成部と同一の基板に形成され、前記タイミング信号が入力されるダミー素子を備え、
前記タイミング調整部は、前記ダミー素子から出力された信号が、用意された基準信号に対して、特定の位相関係を保つように、前記タイミング信号の位相を調整することを特徴とする液晶表示装置。
【請求項２】
請求項１に記載の液晶表示装置であって、
前記タイミング調整部は、
前記基準信号と前記ダミー素子からの出力信号とを位相比較し、比較結果に応じた位相差信号を出力する位相比較器と、
制御電圧を出力すると共に、前記位相比較器から出力される前記位相差信号に基づいて、前記制御電圧の電圧レベルを調整するチャージポンプと、
前記制御電圧の電圧レベルに応じて、前記タイミング信号の遅延量を変化させ、前記タイミング信号の位相を調整するディレイ素子と、
を備える液晶表示装置。
【請求項３】
請求項１に記載の液晶表示装置であって、
前記タイミング調整部は、
前記基準信号と前記ダミー素子からの出力信号とを位相比較し、比較結果に応じた位相差信号を出力する位相比較器と、
クロック信号を出力すると共に、前記位相比較器から出力される前記位相差信号に基づいて、前記クロック信号の周波数を調整する発振器と、
前記クロック信号の周波数に応じて、前記タイミング信号の遅延量を変化させ、前記タイミング信号の位相を調整するディレイ素子と、
を備える液晶表示装置。
【請求項４】
液晶パネル部と、前記液晶パネル部に画像信号を供給する画像信号供給部と、前記液晶パネル部にタイミング信号を供給するタイミング供給部と、前記画像信号供給部を制御する画像信号制御部と、を備える液晶表示装置であって、
前記液晶パネル部は、
マトリクス状に配列された複数の液晶セルと、
各液晶セルにそれぞれに対応して設けられた複数の画素電極と、
各画素電極に画像信号を入力するための複数のデータ線と、
各データ線にそれぞれ対応して設けられ、サンプリング回路駆動信号に応じて、前記画像信号をサンプリングして、対応する前記データ線に出力する複数のサンプリング回路と、
前記タイミング信号に応じて、前記サンプリング回路駆動信号を生成する駆動信号生成部と、
を備えると共に、
前記液晶パネル部は、さらに、少なくとも前記駆動信号生成部と同一の基板に形成され、前記タイミング信号が入力されるダミー素子を備え、
前記画像信号制御部は、前記画像信号供給部を制御して、前記ダミー素子から出力された信号が、用意された基準信号に対して、特定の位相関係を保つように、前記画像信号の位相を調整することを特徴とする液晶表示装置。
【請求項５】
請求項４に記載の液晶表示装置において、
前記画像信号供給部は、
供給されたクロック信号に応じて、前記画像信号をデジタル信号からアナログ信号に変換するＤ／Ａ変換回路を備え、
前記画像信号制御部は、
前記Ｄ／Ａ変換回路に供給される前記クロック信号の位相を調整するタイミング調整部を備え、
前記タイミング調整部は、前記ダミー素子から出力された信号が、前記基準信号に対して、前記特定の位相関係を保つように、前記クロック信号の位相を調整することを特徴とする液晶表示装置。
【請求項６】
少なくとも、タイミング信号と画像信号を入力する液晶パネルであって、
マトリクス状に配列された複数の液晶セルと、
各液晶セルにそれぞれに対応して設けられた複数の画素電極と、
各画素電極に画像信号を入力するための複数のデータ線と、
各データ線にそれぞれ対応して設けられ、サンプリング回路駆動信号に応じて、前記画像信号をサンプリングして、対応する前記データ線に出力する複数のサンプリング回路と、
前記タイミング信号に応じて、前記サンプリング回路駆動信号を生成する駆動信号生成部と、
少なくとも前記駆動信号生成部と同一の基板上に形成され、前記タイミング信号が入力されるダミー素子と、
前記ダミー素子に対して、前記タイミング信号を入力させる端子と、
前記ダミー素子から出力される信号を、外部に出力する端子と、
を備える液晶パネル。
【手続補正２】
【補正対象書類名】明細書
【補正対象項目名】００１９
【補正方法】変更
【補正の内容】
【００１９】
本発明の第１の液晶表示装置では、タイミング生成部は、タイミング信号を生成し、タイミング調整部は、そのタイミング信号の位相を調整している。そして、駆動信号生成部は、そのタイミング信号に応じてサンプリング回路駆動信号を生成し、また、ダミー素子は、そのタイミング信号を入力している。ここで、ダミー素子は、少なくとも駆動信号生成部と同一の基板に形成されているので、駆動信号生成部と同様の寄生容量や配線抵抗などを含み、ほぼ同等の遅延特性を持つものと考えられる。
今、画像信号に対するサンプリング回路駆動信号のタイミングが適切なタイミングとなっており、表示画像にゴーストが発生していない場合において、ダミー素子から出力される信号が、基準信号に対して、特定の位相関係にあるものとする。
そこで、温度変化や経時変化に起因して、駆動信号生成部での信号遅延が変動すると、画像信号に対してサンプリング回路駆動信号が進み（または遅れ）、画像信号に対するサンプリング回路駆動信号のタイミングがずれるので、表示画像にゴーストが発生する。このとき、ダミー素子での信号遅延も同様に変動すると考えられるので、基準信号に対して、ダミー素子から出力される信号も同様に進む（または遅れる）こととなる。このため、ダミー素子から出力される信号は、基準信号に対して、特定の位相関係を保てなくなる。
しかし、タイミング調整部は、ダミー素子から出力される信号が、基準信号に対して、特定の位相関係を保つように、タイミング信号の位相を遅らせる（または進ませる）ので、画像信号に対して進んでいた（または遅れていた）サンプリング回路駆動信号は元に戻り、画像信号に対するサンプリング回路駆動信号のタイミングのずれが解消されて、表示画像に発生していたゴーストを抑制することができる。
【手続補正３】
【補正対象書類名】明細書
【補正対象項目名】００２０
【補正方法】変更
【補正の内容】
【００２０】
また、本発明の第１の液晶表示装置において、
前記タイミング調整部は、
前記基準信号と前記ダミー素子からの出力信号とを位相比較し、比較結果に応じた位相差信号を出力する位相比較器と、
制御電圧を出力すると共に、前記位相比較器から出力される前記位相差信号に基づいて、前記制御電圧の電圧レベルを調整するチャージポンプと、
前記制御電圧の電圧レベルに応じて、前記タイミング信号の遅延量を変化させ、前記タイミング信号の位相を調整するディレイ素子と、
を備えてもよい。
【手続補正４】
【補正対象書類名】明細書
【補正対象項目名】００２１
【補正方法】変更
【補正の内容】
【００２１】
このような構成とすることで、基準信号に対して、ダミー素子からの出力信号が進んだ（または遅れた）場合においても、位相比較器は、この基準信号とダミー素子からの出力信号の位相比較をして、比較結果に応じた位相差信号を出力し、この位相差信号を入力したチャージポンプは、位相差信号に基づいて、ディレイ素子に対して出力する制御電圧の電圧レベルを変化させる。そして、ディレイ素子は、入力する制御電圧の電圧レベルに応じて、タイミング信号の遅延量を増やして（または減らして）、タイミング信号の位相を遅らせる（または進ませる）ことにより、基準信号に対して、進んでいた（または遅れていた）ダミー素子からの出力信号は元に戻り、基準信号に対するダミー素子からの出力信号の、特定の位相関係を保つことができる。
【手続補正５】
【補正対象書類名】明細書
【補正対象項目名】００２２
【補正方法】変更
【補正の内容】
【００２２】
また、本発明の第１の液晶表示装置において、
前記タイミング調整部は、
前記基準信号と前記ダミー素子からの出力信号とを位相比較し、比較結果に応じた位相差信号を出力する位相比較器と、
クロック信号を出力すると共に、前記位相比較器から出力される前記位相差信号に基づいて、前記クロック信号の周波数を調整する発振器と、
前記クロック信号の周波数に応じて、前記タイミング信号の遅延量を変化させ、前記タイミング信号の位相を調整するディレイ素子と、
を備えてもよい。
【手続補正６】
【補正対象書類名】明細書
【補正対象項目名】００２３
【補正方法】変更
【補正の内容】
【００２３】
このような構成とすることで、基準信号に対して、ダミー素子からの出力信号が進んだ（または遅れた）場合においても、位相比較器は、この基準信号とダミー素子からの出力信号の位相比較をして、比較結果に応じた位相差信号を出力し、この位相差信号を入力した発振器は、位相差信号に基づいて、ディレイ素子に対して出力するクロック信号の周波数を変化させる。そして、ディレイ素子は、入力するクロック信号の周波数に応じて、タイミング信号の遅延量を増やして（または減らして）、タイミング信号の位相を遅らせる（または進ませる）ことにより、基準信号に対して、進んでいた（または遅れていた）ダミー素子からの出力信号は元に戻り、基準信号に対するダミー素子からの出力信号の、特定の位相関係を保つことができる。
本発明の第２の液晶表示装置は、液晶パネル部と、前記液晶パネル部に画像信号を供給する画像信号供給部と、前記液晶パネル部にタイミング信号を供給するタイミング供給部と、前記画像信号供給部を制御する画像信号制御部と、を備える液晶表示装置であって、
前記液晶パネル部は、
マトリクス状に配列された複数の液晶セルと、
各液晶セルにそれぞれに対応して設けられた複数の画素電極と、
各画素電極に画像信号を入力するための複数のデータ線と、
各データ線にそれぞれ対応して設けられ、サンプリング回路駆動信号に応じて、前記画像信号をサンプリングして、対応する前記データ線に出力する複数のサンプリング回路と、
前記タイミング信号に応じて、前記サンプリング回路駆動信号を生成する駆動信号生成部と、
を備えると共に、
前記液晶パネル部は、さらに、少なくとも前記駆動信号生成部と同一の基板に形成され、前記タイミング信号が入力されるダミー素子を備え、
前記画像信号制御部は、前記画像信号供給部を制御して、前記ダミー素子から出力された信号が、用意された基準信号に対して、特定の位相関係を保つように、前記画像信号の位相を調整することを要旨とする。
本発明の第２の液晶表示装置では、温度変化や経時変化により駆動信号生成部での信号遅延が変動し、画像信号に対してサンプリング回路駆動信号が進んで（または遅れて）いたとしても、画像信号制御部が、画像信号供給部を制御して、ダミー素子から出力される信号が、基準信号に対して、特定の位相関係を保つように、画像信号の位相を進ませる（または遅らせる）ので、進んでいた（または遅れていた）サンプリング回路駆動信号に対し画像信号が追いつき（または追いつかれ）、画像信号に対するサンプリング回路駆動信号のタイミングのずれが解消されて、表示画像に発生していたゴーストを抑制することができる。
また、本発明の第２の液晶表示装置において、
前記画像信号供給部は、
供給されたクロック信号に応じて、前記画像信号をデジタル信号からアナログ信号に変換するＤ／Ａ変換回路を備え、
前記画像信号制御部は、
前記Ｄ／Ａ変換回路に供給される前記クロック信号の位相を調整するタイミング調整部を備え、
前記タイミング調整部は、前記ダミー素子から出力された信号が、前記基準信号に対して、前記特定の位相関係を保つように、前記クロック信号の位相を調整するようにしてもよい。
このように、画像信号をデジタル信号からアナログ信号に変換する際に、Ｄ／Ａ変換回路に供給されるクロック信号の位相を調整することで、画像信号の位相を進ませたり、遅らせたりして、調整することができる。
【手続補正７】
【補正対象書類名】明細書
【補正対象項目名】００３３
【補正方法】変更
【補正の内容】
【００３３】
また、Ｘタイミング自動調整回路１１０は、入力するそれらタイミング信号に対して遅延を付加すると共に、別途供給される制御電圧ＶＣに応じてその遅延量を増減させる可変ディレイ素子１０４ａ〜１０４ｃと、これら可変ディレイ素子１０４ａ〜１０４ｃから出力されるタイミング信号のレベルを変化させるレベルシフタ１０５ａ〜１０５ｃおよびレベルシフタ１０６と、スタート信号ＤＸＩＮに対して、別途入力されるクロック信号ＣＬＫに基づき、遅延を与えて、基準信号となるリファレンス信号ＲＥＦを生成して出力する固定ディレイ素子１０３と、を備えている。
【手続補正８】
【補正対象書類名】明細書
【補正対象項目名】００３４
【補正方法】変更
【補正の内容】
【００３４】
さらに、Ｘタイミング自動調整回路１１０は、液晶パネル部１０から出力されるモニタ信号ＭＯＮＩＴＯＲを入力して、レベルを変化させて出力するレベルシフタ１０５ｍと、このレベルシフタ１０５ｍから出力されるモニタ信号ＭＯＮＩＴＯＲと基準信号であるリファレンス信号ＲＥＦとを入力して、この２つの信号の位相を比較し、その位相差がゼロでない場合には、その位相差に応じて、チャージアップパルスＣＵまたはチャージダウンパルスＣＤのいずれかを選択的に出力する位相比較器１０１と、可変ディレイ素子１０４ａ〜１０４ｃのそれぞれに対して、制御電圧ＶＣを供給すると共に入力されるチャージアップパルスＣＵまたはチャージダウンパルスＣＤに応じて、制御電圧ＶＣの電圧レベルを変化させるチャージポンプ１０２と、を備える。
【手続補正９】
【補正対象書類名】明細書
【補正対象項目名】００４２
【補正方法】変更
【補正の内容】
【００４２】
タイミングジェネレータ１２０で生成されたスタート信号ＤＸＩＮ、クロック信号ＣＬＸＩＮ、およびイネーブル信号ＥＮＢＸＩＮなどのタイミング信号のうち、スタート信号ＤＸＩＮは、可変ディレイ素子１０４ａにて所定の遅延量ΔＴ１分遅延された後、レベルシフタ１０５ａにてレベルを変化され、データ線駆動回路２０にスタート信号ＤＸとして入力される。従って、スタート信号ＤＸＩＮは、図４のタイミングＴ１でローレベルとなるが、スタート信号ＤＸは、ΔＴ１後のタイミングＴ３でハイレベルとなる。
【手続補正１０】
【補正対象書類名】明細書
【補正対象項目名】００４３
【補正方法】変更
【補正の内容】
【００４３】
また、イネーブル信号ＥＮＢＸＩＮは、可変ディレイ素子１０４ｃにて、スタート信号ＤＸＩＮと同じ遅延量ΔＴ１分遅延された後、レベルシフタ１０５ｃにてレベルを変化され、液晶パネル部１０にイネーブル信号ＥＮＢＸとして入力される。従って、イネーブル信号ＥＮＢＸは、図４のタイミングＴ２で、ローレベルとなる。
【手続補正１１】
【補正対象書類名】明細書
【補正対象項目名】００４４
【補正方法】変更
【補正の内容】
【００４４】
また、クロック信号ＣＬＸＩＮは、可変ディレイ素子１０４ｂにてスタート信号と同じ遅延量ΔＴ１分遅延される。そして、この遅延された信号は、レベルシフタ１０５ｂとレベルシフタ１０６とに、並列に入力され、それぞれレベルを変化される。レベルシフタ１０５ｂからの出力信号は、データ線駆動回路２０に反転クロック信号ＣＬＸＮとして入力され、レベルシフタ１０６からの出力信号は、データ線駆動回路２０にクロック信号ＣＬＸとして入力される。なお、図４に示すように、クロック信号ＣＬＸと反転クロック信号ＣＬＸＮとは、レベルが互いに反転しており、タイミングＴ３でそれぞれハイレベルとローレベルになる。
【手続補正１２】
【補正対象書類名】明細書
【補正対象項目名】００５１
【補正方法】変更
【補正の内容】
【００５１】
一方、液晶パネル部１０に備えられたダミー素子５０は、Ｘタイミング自動調整回路１１０からのスタート信号ＤＸを入力すると、その信号を遅延して、モニタ信号ＭＯＮＩＴＯＲとしてＸタイミング自動調整回路１１０に出力する。
前述したとおり、ダミー素子５０は、液晶パネル部１０内におけるデータ線駆動回路２０や３入力ＡＮＤ回路Ｌ１〜Ｌｎなどと同一のガラス基板上に形成されているので、ダミー素子５０は、データ線駆動回路２０および３入力ＡＮＤ回路Ｌ１〜Ｌｎなどとほぼ同一な遅延特性を有することとなり、ダミー素子５０における遅延量をΔＴ０とすると、その遅延量は、データ線駆動回路２０および３入力ＡＮＤ回路Ｌ１〜Ｌｎにおける信号遅延量と同等であると見なすことができる。
従って、モニタ信号ＭＯＮＩＴＯＲは、スタート信号ＤＸに対して、ダミー素子５０において、遅延量ΔＴ０だけ遅延された信号であり、このモニタ信号ＭＯＮＩＴＯＲは、液晶パネル部１０内での信号遅延量のみに着目すると、データ線駆動回路２０，３入力ＡＮＤ回路Ｌ１〜Ｌｎを介して生成されるサンプリング回路駆動信号Ｓ１〜Ｓｎと同等の信号であると見なすことができる。
また、ここで、スタート信号ＤＸは、スタート信号ＤＸＩＮに対して、可変ディレイ素子１０４ａにおいて、遅延量ΔＴ１分の遅延された信号である。従って、モニタ信号ＭＯＮＩＴＯＲは、スタート信号ＤＸＩＮに対して、（ΔＴ１＋ΔＴ０）だけ遅延された信号となる。
【手続補正１３】
【補正対象書類名】明細書
【補正対象項目名】００５２
【補正方法】変更
【補正の内容】
【００５２】
ダミー素子５０からＸタイミング自動調整回路１１０に入力されたモニタ信号ＭＯＮＩＴＯＲは、レベルシフタ１０５ｍにてレベルを変化された後、位相比較器１０１に入力されて、基準信号であるリファレンス信号ＲＥＦと位相を比較される。
リファレンス信号ＲＥＦは、固定ディレイ素子１０３において、スタート信号ＤＸＩＮを、クロック信号ＣＬＫに基づき、遅延量ΔＴだけ遅延させて生成される。
本実施例において、固定ディレイ素子１０３における遅延量ΔＴは、図４に示すような適切な状態における（ΔＴ１＋ΔＴ０）と等しくなるように設定されている。この固定ディレイ素子１０３はシフトレジスタにより構成され、クロック信号ＣＬＫ周波数およびダミー素子５０における遅延量に応じた適切な状態に保てる様にシフト段数を切替えている。
従って、モニタ信号ＭＯＮＩＴＯＲの位相は、リファレンス信号ＲＥＦの位相と一致しており、モニタ信号ＭＯＮＩＴＯＲとリファレンス信号ＲＥＦとの位相差は生じない。よって、位相比較器１０１によって検出される位相差は、ゼロとなるため、位相比較器１０１は、チャージポンプ１０２に対して、チャージアップパルスＣＵまたはチャージダウンパルスＣＤのどちらも出力しない。
【手続補正１４】
【補正対象書類名】明細書
【補正対象項目名】００５３
【補正方法】変更
【補正の内容】
【００５３】
チャージポンプ１０２は、位相比較器１０１から、チャージアップパルスＣＵまたはチャージダウンパルスＣＤのいずれの信号も入力されないので、可変ディレイ素子１０４ａ〜１０４ｃに供給する制御電圧ＶＣの電圧レベルを変化させない。従って、図４の適切な状態においては、この制御電圧ＶＣの電圧レベルはほぼ一定となるため、可変ディレイ素子１０４ａ〜１０４ｃが付加する遅延量も変化せず、ΔＴ１で一定となる。
【手続補正１５】
【補正対象書類名】明細書
【補正対象項目名】００５４
【補正方法】変更
【補正の内容】
【００５４】
前述した通り、スタート信号ＤＸＩＮ、クロック信号ＣＬＸＩＮ、およびイネーブル信号ＥＮＢＸＩＮなど、各タイミング信号は、可変ディレイ素子１０４ａ〜１０４ｃにおいて遅延を付加されるが、この付加される遅延量は、適切な状態において、遅延量ΔＴ１で一定となるので、液晶パネル部１０に入力されるスタート信号ＤＸ、クロック信号ＣＬＸ、反転クロック信号ＣＬＸＮ、およびイネーブル信号ＥＮＢＸなど、各タイミング信号は、一定して適切なタイミングでハイレベルとなり、これらタイミング信号から生成されるサンプリング回路駆動信号Ｓ１〜Ｓｎも、一定して適切なタイミングでハイレベルとなり、サンプリング回路ＳＨ１〜ＳＨｎは、画像信号ＶＩＤ１〜ＶＩＤ６を、一定して飽和レベルに達したタイミングでサンプリングし、データ線Ｘ１〜Ｘｎに出力することとなるので、液晶パネル部１０において、ゴーストの発生を抑えたまま画像を表示することが可能となる。
【手続補正１６】
【補正対象書類名】明細書
【補正対象項目名】００６１
【補正方法】変更
【補正の内容】
【００６１】
この結果、基準信号であるリファレンス信号ＲＥＦとモニタ信号ＭＯＮＩＴＯＲとの位相を比較すると、リファレンス信号ＲＥＦに対して、モニタ信号ＭＯＮＩＴＯＲは、ΔＴ２だけ進んでいるので、位相比較器１０１は、チャージダウンパルスＣＤを、チャージポンプ１０２に対して出力する。チャージポンプ１０２は、このチャージダウンパルスＣＤを入力すると、可変ディレイ素子１０４ａ〜１０４ｃに供給する制御電圧ＶＣの電圧レベルを下げる。
【手続補正１７】
【補正対象書類名】明細書
【補正対象項目名】００６２
【補正方法】変更
【補正の内容】
【００６２】
可変ディレイ素子１０４ａ〜１０４ｃは、供給される制御電圧ＶＣの電圧レベルが下がると、各タイミング信号に付加する遅延量を増やす。具体的には、可変ディレイ素子１０４ａ〜１０４ｃは、入力されるスタート信号ＤＸＩＮ、クロック信号ＣＬＸＩＮ、およびイネーブル信号ＥＮＢＸＩＮなど、各タイミング信号に対して、適切な状態において付加した遅延量ΔＴ１に、上記のΔＴ２を加えて得られる、遅延量（ΔＴ１＋ΔＴ２）を付加することとなる。この結果、Ｘタイミング自動調整回路１１０からの出力信号である、スタート信号ＤＸ、クロック信号ＣＬＸ、反転クロック信号ＣＬＸＮ、およびイネーブル信号ＥＮＢＸなど、各タイミング信号を、図６の実線で示すように、進み状態に比べてΔＴ２だけ遅らせることができる。
そして、これらスタート信号ＤＸ、クロック信号ＣＬＸ、および反転クロック信号ＣＬＸＮから生成される出力信号Ｑ１〜Ｑｎも、図６の実線で示すように、進み状態に比べてΔＴ２だけ遅れることとなる。
【手続補正１８】
【補正対象書類名】明細書
【補正対象項目名】００６５
【補正方法】変更
【補正の内容】
【００６５】
進み状態では、ダミー素子５０での遅延は、データ線駆動回路２０や３入力ＡＮＤ回路Ｌ１〜Ｌｎでの信号遅延の変動分と同じくΔＴ２だけ小さくなっているため、適切な状態におけるダミー素子５０での遅延量ΔＴ０から、このΔＴ２を減じた（ΔＴ０−ΔＴ２）が、進み状態におけるダミー素子５０での遅延量となる。この場合、可変ディレイ素子１０４ａ〜１０４ｃでは、上述のように、このダミー素子５０での遅延量の減少分である、ΔＴ２の遅延量を加えた（ΔＴ１＋ΔＴ２）を、各タイミング信号に対して付加している。
したがって、この適切な状態に戻った場合において、モニタ信号ＭＯＮＩＴＯＲは、スタート信号ＤＸＩＮに比べて、可変ディレイ素子１０４ａで付加される遅延量（ΔＴ１＋ΔＴ２）にダミー素子５０での遅延量（ΔＴ０−ΔＴ２）を加えた（ΔＴ１＋ΔＴ０）だけ遅延することとなる。
【手続補正１９】
【補正対象書類名】明細書
【補正対象項目名】００６６
【補正方法】変更
【補正の内容】
【００６６】
一方、基準信号であるリファレンス信号ＲＥＦは、スタート信号ＤＸＩＮをΔＴだけ遅延させて生成されているのと同時に、このΔＴは、（ΔＴ１＋ΔＴ０）と等しくなるように、固定ディレイ素子１０３で設定しているので、図６に示すように、上述のモニタ信号ＭＯＮＩＴＯＲは、このリファレンス信号ＲＥＦと位相が一致することとなる。
【手続補正２０】
【補正対象書類名】明細書
【補正対象項目名】００６７
【補正方法】変更
【補正の内容】
【００６７】
モニタ信号ＭＯＮＩＴＯＲが、リファレンス信号ＲＥＦと位相が一致することから、位相比較器１０１は、チャージポンプ１０２に対して、チャージアップパルスＣＵまたはチャージダウンパルスＣＤを与えない。このため、制御電圧ＶＣに変化が起こらないので、可変ディレイ素子１０４ａ〜１０４ｃが付加する遅延量は一定に保たれて、ゴーストの発生が抑制され続けることとなる。
【手続補正２１】
【補正対象書類名】明細書
【補正対象項目名】００７２
【補正方法】変更
【補正の内容】
【００７２】
この結果、基準信号であるリファレンス信号ＲＥＦとモニタ信号ＭＯＮＩＴＯＲとの位相を比較すると、リファレンス信号ＲＥＦに対して、モニタ信号ＭＯＮＩＴＯＲは、ΔＴ３だけ遅れているので、位相比較器１０１は、チャージアップパルスＣＵをチャージポンプ１０２に対して出力する。チャージポンプ１０２は、このチャージアップパルスＣＵを入力すると、可変ディレイ素子１０４ａ〜１０４ｃに供給する制御電圧ＶＣの電圧レベルを上げる。
【手続補正２２】
【補正対象書類名】明細書
【補正対象項目名】００７３
【補正方法】変更
【補正の内容】
【００７３】
可変ディレイ素子１０４ａ〜１０４ｃは、供給された制御電圧ＶＣの電圧レベルが上がると、各タイミング信号に付加する遅延量を減らす。具体的には、適切な状態において付加される遅延量ΔＴ１から、ΔＴ３を減らした、遅延量（ΔＴ１−ΔＴ３）を、可変ディレイ素子１０４ａ〜１０４ｃは、入力されるスタート信号ＤＸＩＮ、クロック信号ＣＬＸＩＮ、およびイネーブル信号ＥＮＢＸＩＮなど、各タイミング信号に付加することとなり、Ｘタイミング自動調整回路１１０からの出力信号である、スタート信号ＤＸ、クロック信号ＣＬＸ、反転クロック信号ＣＬＸＮ、およびイネーブル信号ＥＮＢＸなど、各タイミング信号を、図８の実線で示すように、遅れ状態に比べて、ΔＴ３だけ進ませることができる。
そして、これらスタート信号ＤＸ、クロック信号ＣＬＸ、および反転クロック信号ＣＬＸＮから生成される出力信号Ｑ１〜Ｑｎも、図８の実線で示すように、遅れ状態に比べてΔＴ３だけ進むこととなる。
【手続補正２３】
【補正対象書類名】明細書
【補正対象項目名】００７６
【補正方法】変更
【補正の内容】
【００７６】
遅れ状態では、ダミー素子５０での遅延は、液晶パネル部１０内での信号遅延の変動分と同じくΔＴ３だけ大きくなっているため、適切な状態におけるダミー素子５０での遅延量ΔＴ０に、このΔＴ３を加えた（ΔＴ０＋ΔＴ３）が、遅れ状態におけるダミー素子５０での遅延量となる。この場合、可変ディレイ素子１０４ａ〜１０４ｃでは、上述のように、このダミー素子５０での遅延量の増加分である、ΔＴ３の遅延量を減らした（ΔＴ１−ΔＴ３）の遅延を、各タイミング信号に対して付加している。
一方、基準信号であるリファレンス信号ＲＥＦは、スタート信号ＤＸＩＮをΔＴだけ遅延させて生成されているのと同時に、このΔＴは、（ΔＴ１＋ΔＴ０）と等しくなるように、固定ディレイ素子１０３に設定しているので、図６に示すように、上述のモニタ信号ＭＯＮＩＴＯＲは、このリファレンス信号ＲＥＦと位相が一致することとなる。
【手続補正２４】
【補正対象書類名】明細書
【補正対象項目名】００７７
【補正方法】変更
【補正の内容】
【００７７】
モニタ信号ＭＯＮＩＴＯＲが、リファレンス信号ＲＥＦと位相が一致することから、位相比較器１０１は、チャージポンプ１０２に対して、チャージアップパルスＣＵまたはチャージダウンパルスＣＤを与えない。このため、制御電圧ＶＣに変化が起こらないので、可変ディレイ素子１０４ａ〜１０４ｃが付加する遅延量は一定に保たれて、ゴーストの発生が抑制され続けることとなる。
【手続補正２５】
【補正対象書類名】明細書
【補正対象項目名】００７８
【補正方法】変更
【補正の内容】
【００７８】
以上説明したように、本発明の実施例においては、使用時において、温度変化や経時変化に起因する、液晶パネル部１０内での信号遅延の変動によって、サンプリング回路駆動信号Ｓ１〜Ｓｎのハイレベルな期間が、画像信号ＶＩＤ１〜ＶＩＤ６の飽和レベルに達した期間に対して、時間的にずれたことを、リファレンス信号ＲＥＦの位相とモニタ信号ＭＯＮＩＴＯＲの位相とを比較して検出することが可能となる。
そして、Ｘタイミング自動調整回路１１０では、チャージポンプ１０２を用いることによって、可変ディレイ素子１０４ａ〜１０４ｃにおいて、スタート信号ＤＸＩＮ、クロック信号ＣＬＸＩＮ、およびイネーブル信号ＥＮＢＸＩＮなど、各タイミング信号に対して付加する遅延量を、上述の検出した時間的なずれを打ち消すように、時間的に進んだすれの場合には増やし、また、時間的に遅れたずれの場合には減らすように、調整することが可能となる。
従って、スタート信号ＤＸ、クロック信号ＣＬＸ、反転クロック信号ＣＬＸＮ、およびイネーブル信号ＥＮＢＸなど、各タイミング信号も、時間的なずれを打ち消すように調整されることとなるので、これらタイミング信号に応じて生成されるサンプリング回路駆動信号Ｓ１〜Ｓｎは、液晶パネル部１０の内部遅延の変動によって生じる時間的なずれをキャンセルされることとなる。その結果、サンプリング回路駆動信号Ｓ１〜Ｓｎのハイレベルな期間が、画像信号ＶＩＤ１〜ＶＩＤ６の飽和レベルに達した期間と時間的に合うこととなり、ゴーストの発生を抑制することが可能となる。
【手続補正２６】
【補正対象書類名】明細書
【補正対象項目名】００７９
【補正方法】変更
【補正の内容】
【００７９】
Ａ５．Ｘタイミング自動調整回路の他の具体例：
さて、図１に示すＸタイミング自動調整回路１１０においては、位相比較器１０１と、チャージポンプ１０２と、可変ディレイ素子１０４ａ〜１０４ｃを用いるようにしたが、これらに代えて、図９に示すように、位相比較器５０１と、低域フィルタ５０２と、電圧制御発振器５０３と、シフトレジスタにより構成された可変ディレイ素子５１４ａ〜５１４ｃを用いるようにしてもよい。
図９はＸタイミング自動調整回路の他の具体例を示す説明図である。図９に示すＸタイミング自動調整回路５００は、図１に示すＸタイミング自動調整回路１１０と同様に固定ディレイ素子１０３およびレベルシフタ１０５ａ〜１０５ｃ，１０５ｍ，１０６を備える他、位相比較器５０１と、低域フィルタ５０２と、電圧制御発振器５０３と、シフトレジスタにより構成された可変ディレイ素子５１４ａ〜５１４ｃと、を備えている。
このうち、位相比較器５０１は、レベルシフタ１０５ｍから出力されるモニタ信号ＭＯＮＩＴＯＲと基準信号であるリファレンス信号ＲＥＦとを入力して、この２つの信号の位相を比較し、その位相差に応じたパルス信号を出力する。低域フィルタ５０２は、位相比較器５０１から出力されたパルス信号の低域成分を抽出し、電圧として出力する。電圧制御発振器５０３は、発振してクロック信号を出力すると共に、低域フィルタ５０２から出力された電圧を制御電圧として入力し、その制御電圧に応じて、発信周波数を変化させ、クロック信号の周波数を変化させる。可変ディレイ素子５１４ａ〜５１４ｃは、タイミングジェネレータ１２０からのスタート信号ＤＸＩＮ、クロック信号ＣＬＸＩＮおよびイネーブル信号ＥＮＢＸＩＮなど、各タイミング信号を入力して、遅延し、レベルシフタ１０５ａ〜１０５ｃ，１０６に出力すると共に、電圧制御発振器５０３からのクロック信号を入力し、そのクロック信号の周波数に応じて、遅延量を変化させる。
このような構成を採ることにより、図９に示すＸタイミング自動調整回路５００では、図１に示したＸタイミング自動調整回路１１０と同等の動作を行って、タイミングジェネレータ１２０で生成されたタイミング信号の位相を調整して、液晶パネル部１０に供給することができる。
【手続補正２７】
【補正対象書類名】明細書
【補正対象項目名】００８６
【補正方法】変更
【補正の内容】
【００８６】
１０...液晶パネル部
２０...データ線駆動回路
３０...走査線駆動回路
４０...画素電極
５０...ダミー素子
１００...タイミング供給部
１０１、５０１...位相比較器
１０２...チャージポンプ
１０３...固定ディレイ素子
１０４ａ〜１０４ｃ、５１４ａ〜５１４ｃ...可変ディレイ素子
１０５ａ〜１０５ｃ、１０５ｍ、１０６...レベルシフタ
１１０、５００...Ｘタイミング自動調整回路
１２０...タイミングジェネレータ
２００...液晶パネル
２０１...ウィンドウパターン
５０２...低域フィルタ
５０３...電圧制御発振器
６００...画像処理部
７００...表示情報出力部
８００...クロック供給部
９００...電源供給部
１０００...液晶表示装置
Ｌ１〜Ｌｎ...３入力ＡＮＤ回路
ＳＨ１〜ＳＨｎ...サンプリング回路
ＳＴ１〜ＳＴｎ...画素ＴＦＴ回路
Ｘ１〜Ｘｎ...データ線
Ｙ１〜Ｙｍ...走査線